(57)【要約】【課題】接続コードや制御器が邪魔にならずに使用時の安全性を向上させるとともに、操作する制御器やリモコンの使い勝手を向上させる面状採暖具を提供することを目的とする。【解決手段】リモコン送信機１４と、リモコン送信機１４を保持するためのホルダー１７と、ヒータを内臓した面状発熱体１１と、リモコン送信機１４からの信号に基づいてヒータの通電を制御する制御手段１２とからなり、ホルダー１７にテーブル１８の脚１８ａ等に固定するための固定手段２０を有する構成にしているので、面状発熱体１１の分離した制御手段１２がなくなることで、使用時の安全性を向上させるとともに、リモコン送信機１４が邪魔にならずに椅子等に座ったままでもリモコン送信機１４の操作が可能となり、非常に使い勝手を向上させるものとなる。【選択図】　図３
2004028391.tif 000002
【特許請求の範囲】
【請求項１】
リモコン送信機と、前記リモコン送信機を保持するためのホルダーと、面状発熱体と、前記リモコン送信機からの信号に基づいて前記面状発熱体の温度を制御する制御手段とからなり、前記ホルダーは、テーブルの脚等に固定するための固定手段を有することを特徴とする面状採暖具。
【請求項２】
固定手段は、テーブルの脚等に巻きつけて固定するバンドである請求項１に記載の面状採暖具。
【請求項３】
ホルダーの裏面に、クッション性を有する粘着シートを備えたことを特徴とする請求項１に記載の面状採暖具。
【発明の詳細な説明】
【０００１】
【発明の属する技術分野】
本発明は、暖房用として使用されるリモコンで操作する面状採暖具に関するものである。
【０００２】
【従来の技術】
従来、この種の面状採暖具としては、例えば、図８〜図１０に記載されているようなものがあった。
【０００３】
図８において、１はヒータ（図示せず）を内臓する面状発熱体、２は面状発熱体１の一隅部に設けられた電気接続部、３は面状発熱体１の表面温度等を制御する制御器、４は信号を受信し電気信号に変換して制御器３へ信号を伝える受信機、５は受信機４へ信号を送信するリモコン、６はリモコン５の先端部に設けられた送信部である。面状発熱体１は、着脱が可能な電気接続部２を介して接続コード７により制御器３に電気的に接続していた。制御器３及びリモコン５は、保持具８によって、壁面９にも取付けられるような構成になっていた。
【０００４】
図９は、リモコン５を壁面に取り付けた状態を示す正面図であり、図１０は、図９のＡ−Ａ断面図である。保持具８には、取付孔８ａが設けられ、その取付孔８ａを貫通させて、取付ねじ１０により、壁面９に保持具８が固定され、その保持具８にリモコン５が出し入れ可能な状態で装着されていた。
【０００５】
【発明が解決しようとする課題】
しかしながら、前記従来の構成では、ヒータを内臓する面状発熱体１が着脱可能な電気接続部２を介して接続コード７によって制御器３へ電気的に接続されていたり、制御器３を壁面に取り付けられない時は、制御器３が床面に置かれた状態で使用されていたので、接続コード７や制御器３が非常に邪魔なものとなり、踏み付けたり、蹴つまずいたりして、使用する上でとても不安全であるという課題を有していた。
【０００６】
また、使用者が操作する制御器３やリモコン５が壁面に取り付けられた状態では、使用場所から離れた位置になっていたので、使い勝手が非常に悪いという課題を有していた。
【０００７】
本発明は、前記従来の課題を解決するもので、接続コードや制御器が邪魔にならずに使用時の安全性を向上させるとともに、操作する制御器やリモコンの使い勝手を向上させる面状採暖具を提供することを目的とする。
【０００８】
【課題を解決するための手段】
前記従来の課題を解決するために、本発明の面状採暖具は、リモコン送信機と、リモコン送信機を保持するためのホルダーと、ヒータを内臓した面状発熱体と、リモコン送信機からの信号に基づいてヒータの通電を制御する制御手段とからなり、ホルダーにテーブルの脚等に固定するための固定手段を有することを特徴としたものである。
【０００９】
これによって、面状発熱体から分離した制御器がなくなり、使用時の安全性を向上させ、リモコンが邪魔にならずに椅子等に座ったままでもリモコンの操作が可能となり、非常に使い勝手を向上させるものとなる。
【００１０】
【発明の実施の形態】
請求項１に記載の発明は、リモコン送信機と、リモコン送信機を保持するためのホルダーと、面状発熱体と、リモコン送信機からの信号に基づいて面状発熱体の温度を制御する制御手段とからなり、ホルダーは、テーブルの脚等に固定するための固定手段を有する構成にすることにより、面状発熱体の分離した制御手段がなくなることで、使用時の安全性を向上させるとともに、リモコン送信機が邪魔にならずに椅子等に座ったままでもリモコン送信機の操作が可能となり、非常に使い勝手を向上させることができる。
【００１１】
請求項２に記載の発明は、特に、請求項１に記載のホルダーの固定手段をテーブルの脚等に巻きつけて固定できるバンドにすることにより、種々の大きさや形状のテーブルの脚への取り付け、取り外しを容易にかつ簡単に実施することができる。
【００１２】
請求項３に記載の発明は、特に、請求項１に記載のホルダーの裏面に、クッション性を有する粘着シートを設けることにより、テーブルの脚等に巻きつけて固定するための固定手段でホルダーがテーブルの脚側へ抑圧されるので、ホルダーの固定を確実に行うことができ、リモコンの自重による下方側へのずれ防止を可能にすることができる。
【００１３】
【実施例】
以下、本発明の実施例について、図面を参照しながら説明する。
【００１４】
（実施例１）
図１は、本発明の第１の実施例における面状採暖具の斜視図であり、図２は、本発明の第１の実施例における面状採暖具の上にテーブルを置き、テーブルの脚にリモコン送信機が取り付けられた状態を示す斜視図であり、図３は、本発明の第１の実施例における面状採暖具のリモコン送信機の取り付け部を示す分解斜視図である。図４は、本発明の第１の実施例における面状採暖具のリモコン送信機の取り付けた状態を示す正面図であり、図５は、図４のＢ−Ｂ断面図である。図６は、図４のＣ−Ｃ断面図であり、図７は、テーブル脚が角形状の場合の図６に相当する断面図を示すものである。
【００１５】
図１において、１１は、ヒータを内臓する面状発熱体であり、面状発熱体１１の一隅部の下面には、面状発熱体１１の表面温度等を制御する制御手段１２が設けられており、この制御手段１２は、着脱自在な電源コード１３と電気的に接続している。制御手段１２の上面コーナー部には、リモコン送信機１４からの信号を受信して電気信号に変換して制御手段１２へ信号を伝える受信機１５が設けられている。また、制御手段１２の側面部には、面状発熱体１１への通電を入切する電源スイッチ１６が設けられている。制御手段１２の受信機１５へ信号を送るリモコン送信機１４は、ホルダー１７により、壁面等に取付けて使用することもできるようになっている。また、ホルダー１７より、リモコン送信機１４を取り出して使用することも可能になっている。
【００１６】
図２〜図７において、１８は、面状発熱体１１の上に置かれたテーブルであり、テーブル１８の脚部１８ａには、リモコン送信機１４が取り付けられるようになっている。ホルダー１７の裏面にクッション性を有する粘着シート１９を貼付けた後、ホルダー１７の長孔部１７ａにフレキシブル性を有し、一端部に結束長さの調整が自由なロック機構部２１ａを構成している固定手段２０であるバンド２１が相通されている。バンド２１を相通したホルダー１７をテーブル１８の脚部１８ａに押し当て、バンド２１をテーブル１８の脚部１８ａに巻きつけて、脚部１８ａのホルダー１７とは、略反対方向でバンド２１の一端部をロック機構部２１ａに挿入して、ホルダー１７をテーブル１８の脚部１８ａに固定している。なお、リモコン送信機１４は、ホルダー１７に出し入れが可能なように装着されている。
【００１７】
以上のように、本実施例においては、リモコン送信機１４と、リモコン送信機１４を保持するためのホルダー１７と、ヒータを内臓した面状発熱体１１と、リモコン送信機１４からの信号に基づいてヒータの通電を制御する制御手段１２とからなり、ホルダー１７は、テーブル１８の脚部１８ａに固定するための固定手段２０を有する構成にすることにより、面状発熱体１１の分離した制御手段１２がなくなることにより、使用時の安全性を向上させるとともに、リモコン送信機１４が邪魔にならずに椅子等に座ったままでもリモコン送信機１４の操作が可能となり、非常に使い勝手を向上させることができる。
【００１８】
また、ホルダー１７の固定手段２０をテーブル１８の脚部１８ａに巻きつけて固定できるバンド２１にすることにより、種々の大きさや形状のテーブル１８の脚部１８ａへの取り付け、取り外しが容易にかつ簡単に実施することができる。
【００１９】
さらには、ホルダー１７の裏面に、クッション性を有する粘着シート１９を設けることにより、テーブル１８の脚部１８ａに巻きつけて固定するためのバンド２１でホルダー１７がテーブル１８の脚部１８ａ側へ抑圧されるので、ホルダー１７の固定をより確実に行うことができ、リモコン送信機１４の自重による下方側へのずれ防止を可能にすることができる。
【００２０】
なお、ホルダー１７の固定手段２０であるバンド２１がマジックテープのようなものでも同じ効果がえられる。
【００２１】
【発明の効果】
以上のように、請求項１〜３に記載の発明によれば、リモコン送信機が邪魔にならず、椅子に座ったままで操作を行うことが可能となり、非常に使い勝手が向上させることができる。また、ホルダーの取り付け、取り外しが容易にかつ簡単に実施することができるとともに、ホルダーの固定をより確実に行うことができ、リモコン送信機の自重による下方側へのずれ防止を可能にすることができる。
【図面の簡単な説明】
【図１】本発明の実施例１における面状採暖具の斜視図
【図２】本発明の実施例１における面状採暖具の使用状態を示す斜視図
【図３】本発明の実施例１における面状採暖具のリモコン送信機の取り付け部を示す分解斜視図
【図４】本発明の実施例１における面状採暖具のリモコン送信機の取り付けた状態を示す正面図
【図５】図４のＢ−Ｂ断面図
【図６】図４のＣ−Ｃ断面図
【図７】本発明の実施例１における面状採暖具のリモコンの取り付け状態の他の形態を示す断面図
【図８】従来の面状採暖具の斜視図
【図９】従来の面状採暖具のリモコンを壁面に取り付けた状態を示す正面図
【図１０】図９のＡ−Ａ断面図
【符号の説明】
１１　面状発熱体
１２　制御手段
１４　リモコン送信機
１７　ホルダー
１８　テーブル
１８ａ　脚
１９　粘着シート
２０　固定手段
２１　バンド
【図１】
2004028391.tif 000003
【図２】
2004028391.tif 000004
【図３】
2004028391.tif 000005
【図４】
2004028391.tif 000006
【図５】
2004028391.tif 000007
【図６】
2004028391.tif 000008
【図７】
2004028391.tif 000009
【図８】
2004028391.tif 000010
【図９】
2004028391.tif 000011
【図１０】
2004028391.tif 000012